(57)【要約】【課題】  多数の機能に対応する原稿読取装置を想定し、様々な状況において、原稿読取装置がスキャン可能になるまでの長い待ち時間を短縮する仕組みを提供すること。【解決手段】  原稿読取に光源を利用する原稿読取装置で、光源の点灯トリガを検知する点灯トリガ検知手段を有し、点灯トリガ検知手段によって点灯のトリガを検知した場合に、光源を点灯する。【選択図】  図６
2010011049.tif 000002
【特許請求の範囲】
【請求項１】
原稿読み取りに光源を使用する原稿読取装置であって、
前記光源の点灯トリガを検知する検知手段を有し、
前記検知手段によって点灯のトリガを検知した場合に、前記光源を点灯することを特徴とする原稿読取装置。
【請求項２】
請求項１に記載の原稿読取装置であって、
ユーザからの指示を受け付ける受け付け手段をさらに有し、前記点灯トリガは、前記受け付け手段による指示の受け付けであることを特徴とする原稿読取装置。
【請求項３】
請求項１または請求項２に記載の原稿読取装置であって、
ユーザに情報を提示する表示手段をさらに有し、
前記点灯トリガは、前記表示手段の点灯であることを特徴とする原稿読取装置。
【請求項４】
請求項１〜請求項３の何れかに記載の原稿読取装置であって、
読み取り部に置かれた原稿を検知する原稿検知手段をさらに有し、
前記点灯トリガは、前記原稿検知手段による原稿の検知であることを特徴とする原稿読取装置。
【請求項５】
請求項１〜請求項４の何れかに記載の原稿読取装置であって、
特定のユーザに対して前記原稿読取装置の使用を許可するログイン手段をさらに有し、
前記点灯トリガは、前記ログイン手段によるログインであることを特徴とする原稿読取装置。
【請求項６】
請求項１〜請求項５の何れかに記載の原稿読取装置であって、
記憶媒体を接続する接続手段をさらに有し、前記点灯トリガは、前記接続手段に前記記憶媒体が接続されることであることを特徴とする原稿読取装置。
【発明の詳細な説明】
【技術分野】
【０００１】
本発明は、原稿読み取りに光源を利用する原稿読取装置に関するものである。
【背景技術】
【０００２】
従来、ファクシミリ、スキャナ、ＭＦＰ等の原稿読取装置の光源としては、ランプ、ＬＥＤ等の光源が利用されている。原稿を読み取る際に使用する光源は点灯から光量が安定するまでに一定の時間がかかる。そのため、原稿読取装置が待機状態にある場合、原稿読み取りの指示を出してから、電子データや印刷物等の最終的な出力を得るまでにユーザは長時間待つ必要がある。このような問題に対して、原稿読取装置の待機状態においてもある一定のデューティ比で光源を点灯させ続ける予備点灯を実施することで長い待機時間を軽減していた（特許文献１参照）。
【０００３】
しかし、常時光源を点灯していると原稿の読取を行っていない待機状態でもランプが電力を消費してしまい、光源の寿命が短くなるという問題が生じていた。また、常時光源を点灯することによる光源の寿命の問題を鑑み、原稿検知時や操作キー押下時に光源の点灯（先行調光）を行う技術もある（特許文献２参照、特許文献３参照）。これらの技術は光源点灯から最終出力物を取得するまでのユーザの待ち時間を軽減することに助力している。
【特許文献１】特開平４−１４２８６５号公報
【特許文献２】特開平０９−１６３１３７号公報
【特許文献３】特開２０００−０１３５６５号公報
【発明の開示】
【発明が解決しようとする課題】
【０００４】
しかしながら、上記従来の原稿読取装置において、現在のオフィス環境を想定すると、対処すべき課題や要望が残されていると考える。現在のオフィス環境で多く利用されているＭＦＰはスキャン機能、コピー機能だけでなく、様々な機能を具備し、ユーザの用途も多岐にわたっている。具体的には、ネットワークプリント機能、スキャンした電子データを挿入したメディアに保存するＳｃａｎＴｏＭｅｄｉａ機能といったものが挙げられる。また、ユーザ認証をおこない、装置を使用できるユーザを限定するようなログイン機能も現在のＭＦＰは兼ね備えている。このような多種の機能が混在する環境において考えられる課題を解決する必要がある。
【０００５】
例えば、ネットワークプリント実行後、出力物をコピーしたりスキャンしてメディアに保存したりする状況を想定した場合、ユーザが装置の前に行くまでスキャナの光源は点灯されない。その場合、規定の光量に達するまで長時間待たされる問題は解消されない。
【０００６】
また、例えば、非接触型ＩＣカードを利用するログイン機能においても、ユーザが装置にログインしてからキーを操作するまでの時間は予備点灯を行わないため、やはりユーザが長時間待たされるケースが起こりうる。
【０００７】
そこで、本発明は上記課題に鑑みてなされたものであり、多数の機能に対応する原稿読取装置を想定し、様々な状況において、原稿読取装置がスキャン可能になるまでの長い待ち時間を短縮する仕組みを提供できるようにする。
【課題を解決するための手段】
【０００８】
本発明の請求項１記載の原稿読取装置は、前記光源の点灯トリガを検知する点灯トリガ検知手段を有し、前記点灯トリガ検知手段によって点灯のトリガを検知した場合に前記光源を点灯することを特徴とする。
【発明の効果】
【０００９】
本発明によれば、様々な機能に対応する原稿読取装置で、キー操作時だけでなく、他のトリガでも先行して光源の点灯を開始することで、ユーザの様々な用途で光源を点灯から光量が安定するまでのユーザの待ち時間を短縮できる。
【発明を実施するための最良の形態】
【００１０】
次に、本発明の詳細を実施例の記述に従って説明する。
【実施例１】
【００１１】
本発明の一実施例として、原稿読取装置（リーダ装置）を具備する画像処理装置は次の動作を行う。外部メモリの挿入によって原稿読取用の光源の点灯を行う。
【００１２】
以下、図面を参照して本発明の実施形態を詳細に説明する。
【００１３】
図１は本発明に係る原稿読取装置を適用した画像処理装置の一実施形態を示すブロック構成図である。画像処理装置１００は、ＬＡＮ６００にてホストコンピュータ（図１では第一のホストコンピュータ（ＰＣ）６０１、第二のホストコンピュータ（ＰＣ）６０２）に接続されている。尚、ＬＡＮはＬｏｃａｌ  Ａｒｅａ  Ｎｅｔｗｏｒｋを意味する。
【００１４】
上記画像処理装置１００は、リーダ装置（リーダ部）２００、プリンタ装置（プリンタ部）３００、操作部１５０、画像記憶部１６０を有する。また、これら各構成要素に接続され該構成要素を制御する単一の電子部品からなる制御装置（コントローラ部）１１０を有する。
【００１５】
リーダ装置（リーダ部）２００は、画像データの読取処理を行い、本発明の画像読取装置に該当する。プリンタ装置（プリンタ部）３００は、画像データの出力処理を行う。
【００１６】
操作部１５０は、画像データの入出力操作を行うキーボード、及び画像データや各種機能の提示／設定などを行う液晶パネルを備える。操作部１５０は、タッチパネルを有し、タッチパネルを介してユーザからの操作、指示を受け付けることもできる。
【００１７】
画像記憶部１６０は、リーダ装置２００を制御して読み込んだ画像データや、ＬＡＮ６００を介してホストコンピュータ６０１、６０２より受信したコードデータから生成される画像データを格納／保存できる。
【００１８】
リーダ装置２００は、原稿用紙を搬送する原稿給紙ユニット２５０と、原稿画像を光学的に読み取って電気信号としての画像データに変換するスキャナユニット２１０とを有する。
【００１９】
プリンタ装置３００は、給紙ユニット３１０と、マーキングユニット(部)３２０と、排紙ユニット（部）３３０とを有している。給紙ユニット３１０は、記録用紙を収容する複数段の給紙カセットを備える。マーキングユニット(部)３２０は、画像データを記録用紙に転写／定着する。また、排紙ユニット（部）３３０は、印字された記録用紙にソート処理やステイプル処理を施し、外部に排出する。
【００２０】
制御装置１１０は、リーダ装置２００を制御して、原稿の画像データを読込み、プリンタ部３００を制御して画像データを記録用紙に出力してコピー機能を提供する。また、リーダ装置２００から読取った画像データを、コードデータに変換し、ネットワーク６００を介してホストコンピュータ６０１、６０２へ送信するスキャナ機能を有している。さらには、ホストコンピュータからネットワーク６００を介して受信したコードデータを画像データに変換し、プリンタ部３００に出力するプリンタ機能、その他の機能ブロックを有している。
【００２１】
図２は画像処理装置の内部構成図で、リーダ装置２００及びプリンタ部３００の詳細を示している。
【００２２】
リーダ装置２００では原稿給送ユニット２５０に積層された原稿用紙がその積層順に従って、先頭から順次１枚ずつプラテンガラス２１１上へ給送される。そして、スキャナユニット２１０で所定の読み取り動作が終了した後、読み取られた原稿用紙は、プラテンガラス２１１上の原稿を排出トレイ２１９に排出される。また、原稿用紙がプラテンガラス２１１上に搬送されると、ランプ２１２を点灯し、次いで光学ユニット２１３の移動を開始させ、原稿用紙を下方から照射し走査する。そして、原稿用紙からの反射光は、複数のミラー２１４、２１５、２１６、及び、レンズ２１７を介してＣＣＤイメージセンサ(以下「ＣＣＤ」と記す)２１８へ導かれ、走査された原稿画像はＣＣＤ２１８によって読み取られる。ＣＣＤ２１８で読み取られた画像データは、所定の処理が施された後、コントローラユニット１１０に転送される。
【００２３】
原稿給送ユニット２５０が原稿流し読み機能を有している場合、原稿給送部２５０に積層された原稿用紙は、原稿流し読み位置２４０を一定の速度で通過する。この場合、光学ユニット２１３は原稿流し読み位置２４０に移動し、等速で搬送される原稿をランプ２１２によって照射し、ＣＣＤ２１８によって随時読み取ることで画像データを生成する。生成した画像データは、コントローラユニット１１０に転送される。
【００２４】
次いで、プリンタ部３００では、コントローラ部１１０から出力された画像データに対応するレーザ光が、レーザドライバ３２１により駆動されるレーザ発行部３２２から発行される。感光ドラム３２３にはレーザ光に応じた静電潜像が形成され、現像器３２４により前記静電潜像の部分に現像剤が付着される。
一方、レーザ光の照射開始と同期したタイミングで、カセット３１１、カセット３１２、カセット３１３、カセット３１４、手差し給紙段３１５のいずれかから記録用紙が給紙される。給紙された記録用紙は、転写部３２５に搬送路３３１により搬送され、感光ドラム３２３に付着している現像剤を記録用紙に転写する。画像データが転写された記録用紙は搬送ベルト３２６によって、定着部３２７に搬送され、定着部３２７における加熱・加圧処理により画像データが記録紙に定着される。定着部３２７を通過した記録紙は搬送路３３５、搬送路３３４を通り、排紙ビン３２８に排出される。印字面を反転して排紙ビン３２８に排出する場合には、搬送路３３６、搬送路３３８まで導かれ、そこから記録紙を逆方向に搬送し、搬送路３３７、搬送路３３４を通り、排紙ビン３２８に排出される。図に記していないが、排紙ビンの変わりに、排紙ユニットを装着することが可能で、排紙ユニットは排出された記録用紙を束ねて記録用紙の仕分け、仕分けされた記録用紙のステイプル処理などを行うことができる。
【００２５】
また、画像データを記録用紙に両面記録する場合は、まず、定着部３２７を通過したあと、記録紙は、搬送路３３６からフラッパ３２９によって搬送路３３３に導かる。その後、記録紙を逆方向に搬送し、フラッパ３２９によって搬送路３３８、再給紙搬送路３３２へ導かれる。再給紙搬送路３３２へ導かれた記録紙は上述と同様にして搬送路３３１を通り、転写部３２５へ給紙される。
【００２６】
図３は、図１に示したコントローラ部（コントロールユニット）１１０の詳細を説明するブロック図であり、図１と同一のものには同一の符号を付してある。図３において、１１０はコントローラ部で、コントローラ部１１０は画像入力デバイスであるリーダ装置２００（図では「スキャナ」と表示）や、画像出力デバイスであるプリンタ部３００と接続し、一方ではＬＡＮ６００や公衆回線（ＷＡＮ）６５０と接続する。このようにして、画像情報やデバイス情報の入出力が行われる。
【００２７】
１１１はＣＰＵでシステム全体を制御するコントローラである。１１２はＲＡＭで、ＣＰＵ１１１が動作するためのシステムワークメモリであり、画像データを一時記憶するための画像メモリでもある。１１３はＲＯＭで、ブートＲＯＭとして機能し、システムのブートプログラムが格納されている。１６０はハードディスクドライブ（ＨＤＤ）で、システムソフトウェアや画像データなどを格納することができる。１１４は共有フォルダで、ＬＡＮ６００上に接続されたホストコンピュータ（図１の６０１や６０２）と記憶領域を共有し、各々が読み書き可能なデータファイルを保持することが可能である。１１６は操作部Ｉ／Ｆで、操作部１５０とのインタフェース部として機能し、操作部１５０に表示する画像データを操作部１５０に対して出力する。また、操作部１５０から本システム使用者が入力した情報をＣＰＵ１１１に伝える役割をする。１２０はネットワーク（Ｎｅｔｗｏｒｋ）で、ＬＡＮ６００に接続し、情報の入出力が行われる。１２１はモデム（Ｍｏｄｅｍ）で、公衆回線（ＷＡＮ）６５０に接続し、情報の入出力が行われる。以上のデバイスがシステムバス１１７上に配置される。１１５はイメージバスＩ／Ｆ（Ｉｍａｇｅ  Ｂｕｓ  Ｉ／Ｆ）で、システムバス１１７と画像データを高速で転送する画像バス１１８を接続し、データ構造を変換するバスブリッジである。１１８は画像バスで、ＰＣＩバスまたはＩＥＥＥ１３９４で構成される。画像バス１１８上には以下のデバイスが配置される。１２３はラスタイメージプロセッサ（ＲＩＰ）で、ＰＤＬコードをビットマップイメージに展開する。１２４は画像圧縮部で、多値画像データはＪＰＥＧ、２値画像データはＪＢＩＧ、ＭＭＲ、ＭＨの圧縮伸長処理を行う。１２５はデバイスＩ／Ｆ部で、画像入出力デバイスであるリーダ装置２００やプリンタ部３００とコントローラ部１１０を接続し、画像データの同期系／非同期系の変換を行う。１２６はスキャナ画像処理部で、入力画像データに対し補正、加工、編集を行う。１２７はプリンタ画像処理部で、プリント出力画像データに対して、プリンタの補正、解像度変換等を行う。１２８は画像回転部で、画像データの回転を行う。１２２はＩＣカードスロットで、ＩＣカードメディアによるユーザ認証を行う。このユーザ認証によりジョブ実行時のユーザを特定する。また、ＩＣカードメディアを挿入した後に適切なＰＩＮ（Ｐｅｒｓｏｎａｌ  Ｉｄｅｎｔｉｆｉｅｒ  Ｎｕｍｂｅｒ）コードを入力することにより、暗号・復号に用いる鍵の入出力を行うことが可能となる。１３０は暗号・復号処理部で、ＩＣカードスロット１２２の鍵やデバイス固有の鍵を用いてデータの暗号化・複合化処理を行うハードウェアアクセラレータボードである。１３１はＯＣＲ／ＯＭＲ処理部で、画像データに含まれる文字情報や２次元バーコードを解読して文字コード化する処理を行う。
【００２８】
［本画像処理装置１００のＵＩ部の１例に該当する操作部１５０の構成］
図４等を用いて、画像処理装置１００が具備するユーザインタフェース部（以下、ＵＩ部と呼ぶ）の一例に該当する操作部１５０について説明する。
【００２９】
図４に示すように、操作部１５０は、ハードキーによるユーザ操作を受付け可能なキー入力部４０２、ソフトキー（表示キー）によるユーザ操作を受付可能な表示ユニットの一例としてのタッチパネル部４０１を、有する。
【００３０】
図５に示すように、操作部１５０は、操作部電源スイッチ５０１を具備する。該スイッチ５０１のユーザ操作に応答し、制御部１１０は、スタンバイモード（通常動作状態）とスリープモード（ネットワーク印刷やファクシミリに備えて割り込み待ち状態でプログラムを停止して、消費電力を抑えている状態）を選択的に切換るよう制御する。制御部１１０は、該スイッチ５０１のユーザ操作を、システム全体の電源供給を行う主電源スイッチ（不図示）がＯＮ状態にて、受付可能に制御する。また、操作部１５０は、カードＩ／Ｆ１７０、及び外部メディアＩ／Ｆ１７１を具備する。カードＩ／Ｆ１７０で挿入を受付可能なカードは、例として一般にデジタルカメラの撮影画像を記憶しておく記憶装置である。一方外部メディアＩ／Ｆ１７１は、例えば、ＵＳＢメモリの挿入を受付可能である。これらの外部記憶装置を用いて、スキャンした画像を該外部記憶装置に格納したり、既に外部記憶装置に格納されている画像を読み出して印刷したり、送信したりする機能を実現可能となる。
【００３１】
スタートキー５０３は、処理対象となるジョブのコピー動作や送信動作等、ユーザにより指示された種類のジョブ処理を印刷装置に開始させる指示をユーザから受付可能にする為のキーである。ストップキー５０２は、受け付けたジョブの処理を印刷装置に中断させる指示をユーザから受付可能にする為のキーである。テンキー５０６は、各種設定の置数の設定をユーザにより実行可能にするためのキーである。クリアキー５０７は、キー５０６を介してユーザにより設定された置数等の各種パラメータを解除するためのキーである。リセットキー５０４は、ユーザにより処理対象のジョブに対して設定された各種設定を全て無効にし、且つ、設定値をデフォルト状態に戻す指示をユーザから受け付けるためのキーである。ユーザモードキー５０５は、ユーザごとのシステム設定画面に移行するためのキーである。
【００３２】
本発明における一実施例の処理の流れを、図６のフローチャートを用いて説明する。図６のフローチャートにおける各ステップは、ＣＰＵ１１１がＲＯＭ１１３に格納されたプログラムを実行することによって行われる。
【００３３】
まず、ステップＳ１０００１において、ＣＰＵ１１１は、外部メモリＩ／Ｆ１７１に、記憶媒体が挿入されるところからフローチャートは始まる。
【００３４】
ステップＳ１０００２において、ＣＰＵ１１１は、リーダ装置２００が原稿の読取準備をしていない待機状態であるか否かを判断する。ＣＰＵ１１１は、リーダ装置２００が待機状態であると判断した場合、ステップＳ１０００３に処理を進める。一方、リーダ装置２００が待機状態ではないと判断した場合、画像処理装置１００は光学ユニット２１３がすでに点灯を開始しているため、ＣＰＵ１１１は、光源の点灯を実行せずに、フローチャートに示す処理を終了する。
【００３５】
ステップＳ１０００３において、ＣＰＵ１１１は、リーダ装置２００が有する光学ユニット２１３の光源点灯を行う。
【００３６】
以上の例示が如くの本実施形態の印刷システム１０００による奏することが可能な効果以下に例示する。
【００３７】
例えば、従来で想定したような課題に対処し、以下のような原稿読取装置を提供することができる。例えば、多くの機能が存在するオフィス環境において、原稿検知時、キー操作時だけでなく、外部メモリが挿入された場合に、先行して光源の点灯を開始することができる。そのため、ＳｃａｎＴｏＭｅｄｉａ機能においても、光源を点灯から光量が安定するまでのユーザの待ち時間を短縮することが可能となる。
【実施例２】
【００３８】
本発明の一実施例として、原稿読取装置（リーダ装置）を具備する画像処理装置は次の動作を行う。ログイン認証用接触型カードによるログインによって原稿読取用の光源の点灯を行う。
【００３９】
本発明における一実施例の処理の流れを、図７のフローチャートを用いて説明する。図７のフローチャートにおける各ステップは、ＣＰＵ１１１がＲＯＭ１１３に格納されたプログラムを実行することによって行われる。
【００４０】
まず、ステップＳ２０００１において、ＣＰＵ１１１は、ＣａｒｄＩ／Ｆ１７０に、ログイン用接触型カードが挿入されるところからフローチャートの処理を始める。
【００４１】
ステップＳ２０００２において、ＣＰＵ１１１は、Ｓ２０００１において挿入されたログイン認証用カードが、ログインを許可するユーザのカードであるか否かを判断する。ＣＰＵ１１１は、認証により、Ｓ２０００１で挿入されたカードがログイン可能であると判断した場合、ステップＳ２０００３に処理を進める。認証により、Ｓ２０００１で挿入されたカードがログイン可能でないと判断した場合、ＣＰＵ１１１は、Ｓ２０００５に進み、光源の点灯を実行しない。
【００４２】
ステップＳ２０００３において、ＣＰＵ１１１は、リーダ装置２００が原稿の読取準備をしていない待機状態であるか否かを判断する。リーダ装置２００が待機状態であると判断した場合、ステップＳ２０００４に進む。リーダ装置２００が待機状態ではないと判断した場合、画像処理装置１００は光学ユニット２１３がすでに点灯を開始しているため、光源の点灯を実行せずにフローチャートを抜ける。
【００４３】
ステップＳ２０００４において、ＣＰＵ１１１は、リーダ装置２００が有する光学ユニット２１３の光源点灯を行う。
【００４４】
ステップＳ２０００５において、ＣＰＵ１１１は、ユーザのログインが失敗したことを操作部１５０に表示する。
【００４５】
以上のような制御を行うことによって、例えば、従来で想定したような課題に対処し、以下のような原稿読取装置を提供することができる。例えば、多くの機能が存在するオフィス環境において、原稿検知時、キー操作時だけでなく、ログイン認証用カードが挿入されたことを点灯トリガとして、先行して光源の点灯を開始することができる。そのため、ログイン機能においても、光源を点灯から光量が安定するまでのユーザの待ち時間を短縮することが可能となる。
【００４６】
本実施例において、ユーザのログインが失敗した際に、光源点灯を行わない例を示したが、ログイン認証用のカードを画像処理装置１００のＣＰＵ１１１が認識した時点で光源点灯を行うとしても本発明の実施は可能である。
【図面の簡単な説明】
【００４７】
【図１】本発明に係る原稿読取装置を適用した画像処理装置の一実施形態を示すブロック構成図。
【図２】画像処理装置の内部構成を示す断面図。
【図３】画像処理装置の構成例を説明する為のブロック図。
【図４】ＵＩ部の１例を説明する為の図。
【図５】ＵＩ部の１例を説明する為の図。
【図６】画像処理装置の外部メモリ挿入時における処理を説明するフロー図。
【図７】画像処理装置のログイン認証用カード挿入時における処理を説明するフロー図。
【符号の説明】
【００４８】
１００  画像処理装置
１１０  コントローラユニット（制御装置）
１１１  ＣＰＵ
１１２  ＲＡＭ
１１３  ＲＯＭ
１５０  操作部
１７０  カードＩ／Ｆ
１７１  外部メモリＩ／Ｆ
２００  リーダ装置
３００  プリンタ
【図１】
2010011049.tif 000003
【図２】
2010011049.tif 000004
【図３】
2010011049.tif 000005
【図４】
2010011049.tif 000006
【図５】
2010011049.tif 000007
【図６】
2010011049.tif 000008
【図７】
2010011049.tif 000009